(57)【要約】      （修正有）【課題】現場での部品管理や装着時の手間等が増すことなく、コストアップを抑制することができる配管吊下支持具を提供する。【解決手段】配管を抱持するバンド抱持部１１と該バンド抱持部の上端部分に連接されたバンド端部１２を有する配管支持具であって、抱持した配管類を、天井スラブ等の取付面から２点又は３点吊下支持する配管吊下支持具１において、前記バンド端部の両端が延長され、この延長された部分である延長部の各々が前記両バンド端部の各々に対して鋭角に折り曲げられており、この折り曲げられた延長部の各々に透孔１４が形成された構成であることを特徴とする。【選択図】図１
0003152655.tif 000002
【実用新案登録請求の範囲】
【請求項１】
配管を抱持するバンド抱持部と該バンド抱持部の上端部分に連接されたバンド端部を有する配管支持具であって、抱持した配管類を、天井スラブ等の取付面から２点又は３点吊下支持する配管吊下支持具において、
前記バンド端部の両端が延長され、この延長された部分である延長部の各々が前記両バンド端部の各々に対して鋭角に折り曲げられており、この折り曲げられた延長部の各々に透孔が形成された構成であることを特徴とする配管吊下支持具。
【請求項２】
前記透孔が、丸孔、又は前記延長部の延長方向に長径を有する長孔であることを特徴とする請求項１に記載の配管吊下支持具。
【請求項３】
前記取付面に一端が固定された吊りボルトにタンバックルを介して前記バンド端部をボルト・ナット固定し、
前記取付面に一端が固定され、斜め吊下げする１本又は２本の吊りボルトの如き吊下支持杆の他端を、前記延長部の透孔にナットの如き係合手段を用いて係合することにより、
前記吊りボルトと１本又は２本の吊下支持杆による２点又は３点吊下支持する構成であることを特徴とする請求項１又は２に記載の配管吊下支持具。
【請求項４】
前記取付面に一端が固定され、斜め吊下げする２本の吊りボルトの如き吊下支持杆の各々の他端を前記延長部の透孔にナットの如き係合手段を用いて係合することにより、２点斜め吊下支持する構成であることを特徴とする請求項１又は２に記載の配管吊下支持具。
【考案の詳細な説明】
【技術分野】
【０００１】
本考案は配管吊下支持具に関し、詳しくは天井スラブ等の取付面に、水道管、ガス管、冷・暖房管等の各種配管を２点又は３点吊下支持する配管吊下支持具に関する。
【背景技術】
【０００２】
天井スラブ等の取付面に吊りボルト等の支持部材による吊下支持に加えて前記取付面から斜めに垂設した１本又は２本の吊下支持杆を付加すること等によって２点支持乃至は３点吊下支持したり、或いは２本の吊下支持杆によって２点吊下支持することで防振（防震）構造とした技術としては、例えば、特許文献１〜３に記載のもの等が知られている。
【先行技術文献】
【特許文献】
【０００３】
【特許文献１】特開２００４−１５０４５２号
【特許文献２】実用新案登録第２５２４３４０号
【特許文献３】登録実用新案第３１４８３６１号
【考案の概要】
【考案が解決しようとする課題】
【０００４】
特許文献１に示す技術では、従来構成のままの既存のタンバックル及び配管支持具に装着することで３点吊下支持可能な技術であるが、他部材である２枚の板状部材を必要とするため、かかる部品点数の増加によって現場での部品管理の煩雑さやや装着時の手間等が新たに加わることとなっている。
【０００５】
特許文献２及び３に示す技術は、配管支持具のバンド外面に吊下支持杆との係合部が設けられているため、新たな部材の追加の問題はなく部品管理等の煩雑さ等は無いが、配管支持具自体のコストが上昇せざるを得ない。
【０００６】
そこで本考案の課題は、現場での部品管理や装着時の手間等が増すことなく、コストアップを抑制することができる配管吊下支持具を提供することにある。
【課題を解決するための手段】
【０００７】
上記課題を解決する本考案は下記構成を有する。
【０００８】
１．配管を抱持するバンド抱持部と該バンド抱持部の上端部分に連接されたバンド端部を有する配管支持具であって、抱持した配管類を、天井スラブ等の取付面から２点又は３点吊下支持する配管吊下支持具において、
前記バンド端部の両端が延長され、この延長された部分である延長部の各々が前記両バンド端部の各々に対して鋭角に折り曲げられており、この折り曲げられた延長部の各々に透孔が形成された構成であることを特徴とする配管吊下支持具。
【０００９】
２．前記透孔が、丸孔、又は前記延長部の延長方向に長径を有する長孔であることを特徴とする上記１に記載の配管吊下支持具。
【００１０】
３．前記取付面に一端が固定された吊りボルトにタンバックルを介して前記バンド端部をボルト・ナット固定し、
前記取付面に一端が固定され、斜め吊下げする１本又は２本の吊りボルトの如き吊下支持杆の他端を、前記延長部の透孔にナットの如き係合手段を用いて係合することにより、
前記吊りボルトと１本又は２本の吊下支持杆による２点又は３点吊下支持する構成であることを特徴とする上記１又は２に記載の配管吊下支持具。
【００１１】
４．前記取付面に一端が固定され、斜め吊下げする２本の吊りボルトの如き吊下支持杆の各々の他端を前記延長部の透孔にナットの如き係合手段を用いて係合することにより、２点斜め吊下支持する構成であることを特徴とする上記１又は２に記載の配管吊下支持具。
【考案の効果】
【００１２】
請求項１に示す考案によれば、現場での部品管理や装着時の手間等が増すことなく、コストアップを抑制することができる配管吊下支持具を提供することができる。
【００１３】
特に、全く新規な構成の他部材を追加することなく、既存の配管支持具のバンド端部構成を変更するだけで作成可能なため、極めて低コストで得ることができる。
【００１４】
請求項２に示す考案によれば、透孔に係合する吊下支持杆の斜め角度を長孔の長径方向に微調整することができる。
【００１５】
請求項３に示す考案によれば、天井スラブ等の取付面から垂設する吊りボルトによって吊下支持する既存の吊下型構成に加えて、吊下支持杆による斜め吊下げによる防振構成を加えることができる。
【００１６】
請求項４に示す考案によれば、天井スラブ等の取付面から斜めに垂設する２本の吊下支持杆による２点吊下支持とすることができ、配管を安定した状態で吊下支持（防振吊下支持）することができる。
【図面の簡単な説明】
【００１７】
【図１】本考案に係る配管吊下支持具の一実施例を示す４面図（正面図、平面図、底面図、左側面図）
【図２】図１に示す配管吊下支持具の使用例の一例を示す概略正面図
【図３】図１に示す配管吊下支持具の使用例の他の例を示す概略正面図
【考案を実施するための形態】
【００１８】
次に、添付の図面に従って本考案を詳細に説明する。
【００１９】
本考案に係る配管吊下支持具（以下、単に支持具と言うこともある。）１は、図１に示すような具体的構成を有し、使用に際しては図２又は図３に示すように配管Ｐを抱持した状態で天井スラブ等の取付面３から防振状態で２点又は３点吊下支持する際に用いるものである。
【００２０】
支持具１の具体的構成としては、図１に示すように、バンド抱持部１１によって配管Ｐを抱持状態で支持する一般的な構成及び素材の配管支持具を基本構成とし、該配管支持具のバンド抱持部１１・１１に連設してタンバックル（図２の符号３１）との接続部分であるバンド端部１２・１２の両端が延長され、この延長された部分である延長部１３・１３の各々が前記バンド端部１２・１２の両端部の各々に対して鋭角に折り曲げられており、この折り曲げられた延長部１３・１３の各々に透孔１４・１４が形成された構成である。
【００２１】
延長部１３のバンド端部１２に対する角度は、鋭角、即ち、９０度未満であればよく、取付面２からの吊下支持杆４（図２参照）の斜め吊下角度に応じて適宜設定されることが好ましい。具体的な角度としては、好ましくはバンド端部１２に対して３０〜８５度、より好ましくは４５〜６０度の範囲であり、防振（防震）性の観点から吊下支持杆６の斜め吊下角度は概ね４５度の角度であること好ましいことから、延長部１３の角度も概ね４５度であることがとりわけ好ましい。
【００２２】
前記透孔１４は、図１に示すように丸孔でもよいが、延長方向に長径を有する長孔であってもよい。長孔とすることで、透孔１４に係合する吊下支持杆４の斜め角度を長孔の長径方向に微調整することができる。
【００２３】
次に、上記構成を有する支持具１の使用例について説明する。
【００２４】
図２に示すように、天井スラブ等の取付面２に一端が固定された吊りボルト３にタンバックル３１を介して配管Ｐを抱持する支持具１のバンド端部１２をボルト・ナット１５により固定することで支持具１を前記取付面２から吊下支持し、更に、前記取付面２に一端が固定され、斜め吊下げする２本の吊りボルトの如き吊下支持杆４・４の他端を、支持具１の透孔１４・１４にナットの如き係合手段４１・４１を用いて係合することにより、前記吊りボルト３と２本の吊下支持杆４・４による３点吊下支持することができる。
【００２５】
以上、本考案に係る配管吊下支持具の実施例について説明したが、本考案は上記実施例に限定されず、本考案の範囲内において種々の他の態様を採ることもできる。
【００２６】
例えば、図２に示す上記実施例では、吊下支持杆４を２本としたが、該吊下支持杆４は施工現場の状況等の諸条件に応じて１本であってもよく、かかる諸条件に応じて２つの延長部１３・１３のいずれか一方に形成された透孔１４のみに吊下支持杆４を係合することで、吊りボルト３と１本の吊下支持杆４による２点吊下支持とすることもできる。
【００２７】
更に本考案は、図３に示すように、吊りボルト３による吊下支持が無く、２本の吊下支持杆４・４による斜め吊下げのみで配管Ｐを吊下支持してもよい。即ち、天井スラブ等の取付面２に一端が固定され、斜め吊下げする２本の吊りボルトの如き吊下支持杆４・４の各々の他端を支持具１の透孔１４・１４にナットの如き係合手段４１・４１を用いて係合することにより、２点斜め吊下支持する構成である。この２点斜め吊下支持構成によって、配管Ｐを安定した状態で吊下支持（防振吊下支持）することができる。
【００２８】
更にまた、本考案の支持具１は、基本構成をバンド抱持部１１・１１によって配管Ｐを抱持する構成の配管支持具とするが、かかる配管支持具の基本構成としては、この種の配管支持具として公知公用の構成及び素材を有する種々仕様のものを基本構成として採ることができる。例えば、上記実施例では、バンド抱持部１１・１１が蝶番部１６によって拡開可能に接続された構成であるが、蝶番部１６に代えて組式構成の配管支持具であってもよい。
【符号の説明】
【００２９】
１  配管吊下支持具
１１  バンド抱持部
１２  バンド端部
１３  延長部
１４  透孔
１５  ボルト・ナット
１６  蝶番部
２  取付面
３  吊りボルト
３１  タンバックル
４  吊下支持杆
４１  係合手段
Ｐ  配管
【図１】
0003152655.tif 000003
【図２】
0003152655.tif 000004
【図３】
0003152655.tif 000005